(57)【要約】  【課題】従来の塵埃の掻き取り性能を維持しながら、衛生的で、低騒音で、しかも塵埃の廃棄が容易な空気調和機を提供する。  【解決手段】空気調和機の本体ケース４９内に、外気を吸い込み口２１から排気口２２に導く通過風路２３を形成し、該通過風路２３内に塵埃捕集用のフィルター体２４と、該フィルター体２４に捕集された塵埃を除去する除塵体２９と、前記外気を前記排気口２２より室内に排出する送風機２６とを備え、前記フィルター体２４の一側には前記除塵体２９からの塵埃を収納する塵埃収納装置３０を設けると共に、モーター等を駆動源とする移動手段により前記収納装置３０内の塵埃を前記収納装置３０の一側に移動させる。【選択図】図２
2009228932.tif 000002
【特許請求の範囲】
【請求項１】
吸込み口と排気口を有する本体ケース内に、室内の浮遊塵埃を含む外気を前記吸い込み口から排気口に導く通過風路を形成し、該通過風路内に浮遊塵埃を捕捉するフィルター材と該フィルター材の外周囲を保持する枠体より成る塵埃捕集用のフィルター体と、該フィルター体に捕集された塵埃を除去する除塵体と、前記外気を前記排気口より室内に排出する送風機とを備え、前記フィルター体の一側には前記除塵体からの塵埃を収納する塵埃収納室を設けると共に、モーター等を駆動源とする移動手段により前記収納室内の塵埃を前記収納室の一側に移動させることを特徴とする空気調和機。
【請求項２】
吸込み口と排気口を有する本体ケース内に、室内の浮遊塵埃を含む外気を前記吸い込み口から排気口に導く通過風路を形成し、該通過風路内に浮遊塵埃を捕捉するフィルター材と該フィルター材の外周囲を保持する枠体より成る塵埃捕集用のフィルター体と、該フィルター体に捕集された塵埃を除去する除塵体と、前記外気を前記排気口より室内に排出する送風機とを備え、前記フィルター体の一側には前記除塵体からの塵埃を収納する塵埃収納室を設け、該塵埃収納室には、モーター等より成る駆動体により塵埃移動用の回転駆動体を設け、該回転駆動体により収納室内の塵埃を前記収納室の一側に移動させると共に、前記塵埃を所定圧まで圧縮させた後、前記塵埃収納室から押し出すことを特徴とする空気調和機。
【請求項３】
塵埃収納室の一側には、該塵埃収納室から押し出された塵埃を収納保管する塵埃保管室を着脱自在に設け、該塵埃保管室は、本体ケースの一側より取り出し自在に構成したことを特徴とする請求項１又は２に記載の空気調和機。
【発明の詳細な説明】
【技術分野】
【０００１】
本発明は、空気調和機に取り付けられたフィルター体の清掃を行い、その処理を確実に行なう空気調和機に関するものである。
【背景技術】
【０００２】
従来のこの種の空気調和機として、図７に示すようなものが知られている（例えば、特許文献１参照）。
【０００３】
この図７は、上記特許文献１に記載された従来の空気調和機用清掃装置を搭載した空気調和機の断面図である。室内機本体１内には、熱交換器２と、室内の空気を取り入れる吸込口３と、前記熱交換器２と前記吸込口３の間に設けられたベルト状のフィルター体４と、このフィルター体４を張設した駆動軸６および従動軸７と、前記駆動軸６を回転駆動するサーボモーター５と、前記フィルター体４で捕集された塵埃を除去する空気調和機用清掃装置８と、前記吸込口３から室内の空気を吸引し、熱交換器２を通して吹き出し口９から、熱交換された空気を室内に吹き出すファン１０とを備えている。
【０００４】
また、空気調和機用清掃装置８は、ロータ１１ａとそのロータ１１ａの外周の長手方向に設けられたブラシ状の清掃体１１ｂからなる回転清掃体１１と、この回転清掃体１１を回転駆動する駆動手段（図示せず）と、前記吸込口３と連通すると共に前記回転清掃体１１を内設し排出口１２を有する排気管１３と、前記排気管１３内に設けられた塵埃排出用ファン１４とから構成されている。
【０００５】
上記のように構成された従来の空気調和機の動作、作用は以下の通りである。室内機本体１を、例えば、冷房運転すると、ファン１０により室内の空気が吸込口３から流入し、フィルター体４を通って熱交換器２に至り、そこで冷却され、冷たい空気が吹き出し口９から室内に吹き出される。吸引される室内の空気に含まれる塵埃は、前記フィルター体４で捕集され、フィルター体４の表面に堆積する。フィルター体４の表面に塵埃が堆積してくると、空気の通気圧損が増加し、熱交換効率が低下してくるので、定期的に或いは、必要に応じて、フィルター体４上の塵埃の除去運転が必要となる。
【０００６】
塵埃の除去運転は、サーボモーター５を運転して駆動軸６を回転させてベルト状のフィルター体４を連続的に移動させながら、その間に回転清掃体１１を回転させると共に塵埃排出用ファン１４を運転するもので、フィルター体４上の塵埃が、回転清掃体１１の清掃体１１ｂで掻き取られ、掻き取られた塵埃は、塵埃排出用ファン１４により吸引され、排出口１２より室外に排出されるようになっている。
【特許文献１】特開平６−７４５２１号公報
【発明の開示】
【発明が解決しようとする課題】
【０００７】
しかしながら、塵埃の排出時には、塵埃吸引用ファン１４を高速で回転するため、騒音が大きく、且つ塵埃を直接屋外に出てしまうという問題があった。さらに、塵埃を、排出口１２から直接屋外に排出するようにしているため、特に近接して建造されている隣家等に於いては、塵埃が飛散して来たりして、屋外の空気が塵埃で汚染され、環境問題が叫ばれる昨今において、対策を講ずる必要があった。
【０００８】
又、上記従来の空気調和機用清掃装置の構成では、回転清掃体１１がフィルター体４の上方に配置されているために、フィルター体４に捕獲された塵埃は、フィルター体４の移動時等に発生する振動で、回転清掃体１１に接触する前に落下し、サーボモーター５側に堆積し、その塵埃処理が困難となったり、サーボモーター５に付着して、故障の原因にもなりかねないという問題があった。
【０００９】
本発明は、上記従来の課題を解決するためのものであり、従来の塵埃の掻き取り性能を維持しながら、衛生的で、低騒音で、しかも塵埃の廃棄が容易な空気調和機を提供することを目的とする。
【課題を解決するための手段】
【００１０】
上記従来の課題を解決するために、請求項１の空気調和機の発明は、吸込み口と排気口を有する本体ケース内に、室内の浮遊塵埃を含む外気を前記吸い込み口から排気口に導く通過風路を形成し、該通過風路内に浮遊塵埃を捕捉するフィルター材と該フィルター材の外周囲を保持する枠体より成る塵埃捕集用のフィルター体と、該フィルター体に捕集された塵埃を除去する除塵体と、前記外気を前記排気口より室内に排出する送風機とを備え、前記フィルター体の一側には前記除塵体からの塵埃を収納する塵埃収納室を設けると共に、モーター等を駆動源とする移動手段により前記収納室内の塵埃を前記収納室の一側に移動させることに特徴を有する。したがって、除塵体によってフィルター体に付着した塵埃が確実に掃き取られると共に、塵埃収納室に収納された塵埃を移動手段により、塵埃収納室の一側に移動させることによって塵埃を容易に一まとめにしておくことが出来るので、塵埃廃棄時に飛散等なく、確実に処理出来る。また、塵埃収納室の空間を、大きくすることで、塵埃処理の回数は大幅に減らすことが可能となり、その使い勝手は向上するとともに、屋外に塵埃を排出しない為に、衛生的でかつ、塵埃排出用ファンが不要のために屋外に騒音や振動音が出ないものである。
【００１１】
請求項２の空気調和機の発明は、吸込み口と排気口を有する本体ケース内に、室内の浮遊塵埃を含む外気を前記吸い込み口から排気口に導く通過風路を形成し、該通過風路内に浮遊塵埃を捕捉するフィルター材と該フィルター材の外周囲を保持する枠体より成る塵埃捕集用のフィルター体と、該フィルター体に捕集された塵埃を除去する除塵体と、前記外気を前記排気口より室内に排出する送風機とを備え、前記フィルター体の一側には前記除塵体からの塵埃を収納する塵埃収納室を設け、該塵埃収納室には、モーター等より成る駆動体により塵埃移動用の回転駆動体を設け、該回転駆動体により収納室内の塵埃を前記収納室の一側に移動させると共に、前記塵埃を所定圧まで圧縮させた後、前記塵埃収納室から押し出すことに特徴を有する。したがって、除塵体によってフィルター体に付着した塵埃が確実に掃き取られると共に、塵埃収納室に収納された塵埃を回転駆動体、例えば回転駆動体を螺旋状のフィンで構成することにより、この螺旋状のフィンに塵埃が押されて、塵埃収納室の一側に移動させることができ、塵埃を所定圧まで圧縮させることによって最小容量にすることができ、塵埃を容易に一まとめにしておくことができるので、塵埃廃棄時に飛散等なく、確実に処理出来る。また、塵埃収納室の空間を、大きくすることで、塵埃処理の回数は大幅に減らすことが可能となり、その使い勝手は向上するとともに、屋外に塵埃を排出しない為に、衛生的でかつ、塵埃排出用ファンが不要のために屋外に騒音や振動音が出ないものである。
【００１２】
請求項３の空気調和機の発明は、請求項１又は２の発明において、塵埃収納室の一側には、該塵埃収納室から押し出された塵埃を収納保管する塵埃保管室を着脱自在に設け、該塵埃保管室は、本体ケースの一側より取り出し自在に構成したことに特徴を有する。したがって、塵埃処理時において、塵埃保管室をゴミ箱等に直接運ぶことが出来るので、塵埃の飛散が防止できる。また、塵埃保管室の容積を大きくすることで、塵埃廃棄回数は大幅に減少し、その使い勝手を向上させることができる。
【発明の効果】
【００１３】
請求項１の発明では、フィルター体に付着した塵埃を確実に回収し、衛生的に外部へ排出することができる。また、請求項２の発明では、例えば回転駆動体を螺旋状のフィンで構成することにより、この螺旋状のフィンに塵埃が押されて、塵埃収納室の一側に移動させることができ、塵埃を所定圧まで圧縮させることによって最小容量にすることができことから、収容できる塵埃の量を増やすことができるので、回収した塵埃を頻繁に外部へ排出する作業を行う必要がない。さらに、請求項３の発明では、回収した塵埃を空気調和機から簡易に取り出すことができる。
【発明を実施するための最良の形態】
【００１４】
以下、本発明の実施の形態について、図面を参照しながら説明する。図１は、本発明における空気調和機の斜視図であり、図２は、図１に示す空気調和機の中央の概略断面図である。
【００１５】
図１、２において、２０は、本実施例における空気調和機で、前面に室内の空気を取り入れるための吸込み口２１と、前面下方に空気を排出するための排気口２２及び空気を吸込み口２１から排気口２２に移動するための通過風路２３が設けられている。また、通過風路２３には、上流側から順に室内の空気に含まれる浮遊粉塵を捕獲するためのフィルター体２４と、室内の空気を熱交換する熱交換器２５と、室内の空気を本体ケース４９に設けられた吸込み口２１から吸引し、熱交換器２５を通過させ排気口２２から排出するための送風機２６が、収納されている。さらに、本体ケース４９には、後述する塵埃保管室３１の塵埃取り出し箱３８ａが設置されており、取っ手３８を掴んで前方に引き出せば塵埃取り出し箱３８ａを取り出すことができ、塵埃取り出し箱３８ａに溜まった塵埃を外部へ排出することができるようになっている。
【００１６】
フィルター体２４は、多数の細径穴を有するフィルター材と該フィルター材の外周囲を保持する枠体より成るベルト状のものであり、上部回転軸２７ａと下部回転軸２７ｂに架けられ、上部回転軸２７ａと連結する駆動装置２８を作動させることによって、矢印Ａの方向に回転するようになっている。そして、下部回転軸２７ｂの下方には、フィルター体２４と接触する除塵体２９を内包した塵埃収納装置３０が設置されている。又、除塵体２９に付着した塵埃を剥離させる目的で、櫛歯状に形成された第２の除塵体５０が、除塵体２９にくい込むような位置に設けられている。
【００１７】
図３は、塵埃収納装置３０の内部構造を示す説明図である。尚、塵埃収納装置３０は、除塵体２９を内包するものであるが、説明を容易にするため図３では省略している。図４（ａ）は、塵埃収納装置３０の全体を示す斜視図であり、図４（ｂ）は、塵埃保管室３１の斜視図である。塵埃収納装置３０は、フィルター体２４よりも下方に設置されており、長手方向は、フィルター体２４の全幅よりも長くなっている。
【００１８】
そして、フィルター体２４で捕獲された塵埃を全幅にわたり、確実に除塵体２９により除去した後、除塵体２９に付着した塵埃は、第２の除塵体５０によって除塵体２９から剥離して、塵埃取入れ口３２から塵埃収納ケース３３内へ移動する。この塵埃を収納するための塵埃収納装置３０は、横長の塵埃取入れ口３２と、該塵埃取入れ口３２と連通した中空の円筒状の塵埃収納ケース３３と、該塵埃収納ケース３３の全幅にわたり回転自在に収納された軸心３４と該軸心３４の外周にその外径が塵埃収納ケース３３の内径に近接するように、かつ塵埃収納ケース３３の一側に塵埃を回転移動させるように螺旋状に固着された螺旋フィン３５と、該螺旋フィン３５を所定の速度で回転する駆動体３６と、塵埃収納ケース３３の一側に着脱自在に設けられた塵埃入り口３７を有する塵埃保管室３１より構成されている。
【００１９】
螺旋フィン３５を構成するフィン間の距離は、塵埃取入れ口３２から取り入れられる塵埃量が塵埃収納ケース３３の一側に向かい徐々に多量に成るために、塵埃保管室３１側が、広くなるＬ＞ｌとする設計にすれば、塵埃をスムースに、塵埃保管室３１側へ移動させることが出来る。
【００２０】
塵埃保管室３１は、上述の螺旋フィン３５によって運ばれてきた塵埃を保管しておくものであるが、本体ケース４９の前面から着脱自在となっているので、取っ手３８を持って空気調和機２０から分離し、塵埃保管室３１に溜まった塵埃を容易に外部へ排出させることができる。
【００２１】
また、塵埃保管室３１には、バネ３９によって塵埃入り口３７側に付勢された可動板４０が設置されており、螺旋フィン３５によって送られてくる塵埃が可動板４０を徐々に塵埃入り口３７の反対側へ押していく構成としている。そして、可動板４０がセンサー４１に接触すると、塵埃保管室３１のプッシャー挿入口４２側に設置されているプッシャー駆動装置４３ａが作動して，プッシャー４３ｂを塵埃を取っ手３８側に押し出すように作用する。したがって、塵埃を所定圧まで圧縮させることによって最小容量にすることができ、塵埃保管室３１へ収容できる塵埃の量を増やすことができるので、回収した塵埃を頻繁に外部へ排出する作業を行う必要がなく便利である。また、塵埃を排出する時に塵埃が圧縮されて固まった状態となっているので、廃棄が容易である。
【００２２】
図５（ａ）は、除塵体２９とフィルター体２４との位置関係を示す斜視図であり、図５（ｂ）は除塵体２９の構成を示す斜視図である。これらの図に示すように、除塵体２９は、ブラシ毛４５ａと、このブラシ毛４５ａが植え付けられている基布４５ｂとからなる起毛布４５が、軸体４４に巻き付けられて構成されている。そして、軸体４４の両側には軸受４６ａ，４６ｂが設置されている。また、フィルター体２４の多数の細径穴を有するフィルター材に，除塵体２９のブラシ毛４５ａが接触して、フィルター材に付着した塵埃を取り除く構成となっている。尚、除塵体２９は、上述した、フィルター体２４の駆動に従動させて回転する構成としてもよいが、軸受４６ａ，４６ｂのどちらかに、図示しない駆動体を連結させて、除塵体２９を回転させる構成とすることもできる。
【００２３】
除塵体２９に付着した塵埃は、前述したように、除塵体２９のブラシ毛４５ａにくい込むように設置されている櫛歯状の第２の除塵体５０によって、剥離されるが、第２の除塵体５０を設置する位置は、除塵体２９の回転方向によって最適な位置が異なる。例えば、図２においては、第２の除塵体５０が除塵体２９に対して右斜め下辺りに設置してあるが、この場合、除塵体２９の回転方向はフィルター体２４の進行に逆らう方向、即ち、反時計回りにすることにより、効率的に塵埃が捕集できる。逆に、除塵体２９がフィルター体２４の駆動に従動する方向、即ち、時計回りに回転する場合には、第２の除塵体５０を除塵体２９の左斜め下辺りに設置すると良い。
【００２４】
図６は、本発明の空気調和機における制御装置の説明図である。４７は、送風機２６、駆動装置２８、プッシャー駆動装置４３ａ、駆動体３６を運転制御するための制御体で、空気調和機２０の図示しない制御室に収納されている。制御体４７は、スイッチ等を有するリモートコントロール体４８によりコントロールされる。
【００２５】
そして、リモートコントロール体４８により操作されると、送風機２６が運転され、浮遊粉塵を含む室内の空気は、吸込み口から侵入しフィルター体２４により塵埃のみ捕集され、通過した清浄空気は熱交換器２５を通過しながら熱エネルギーを奪い、送風機２６を通過して排気口より、清浄空気を室内に放出する。これらの動作を所定時間経過後、リモートコントロール体４８を切にすると、制御体４７は、駆動装置２８を作動させて、フィルター体２４又は除塵体２９を所定時間回転運転させて停止する。この結果、除塵体２９は、フィルター体２４に捕獲されている塵埃を、フィルター体２４の全幅にわたり配設された塵埃収納装置３０の塵埃取入れ口３２に強制侵入させる。この時、送風機２６が運転停止すなわち、吸引力が働いていないために、除塵体２９はフィルター体２４からの除塵作業を容易に行うことができる。
【００２６】
その後、制御体４７は、駆動体３６を所定時間作動させることで、螺旋フィン３５が回転して、塵埃取入れ口３２からの塵埃を塵埃収納ケース３３の一側に向けて回転移動させる。この時、横長の塵埃取入れ口３２からの塵埃は、塵埃収納ケース３３の一側に向かい徐々に塵埃量が多くなるが、これらの塵埃をスムースに移動させるために、螺旋フィン３５のピッチを徐々に広くしている。また、螺旋フィン３５が繰り返し運転されることで、塵埃収納ケース３３の一側に移動された塵埃は、徐々に圧縮され、その容積をコンパクト化できる。
【００２７】
さらに、塵埃収納ケース３３の一側に塵埃保管室３１を設けることで、多量の塵埃を保管でき、その塵埃処理の回数を大幅に少なくできる、また塵埃保管室３１を着脱自在に形成することで、特に、室内の壁の高いところに取り付けられる空気調和機の場合は、塵埃処理時に塵埃が飛散することがなく清潔処理が可能である。尚、駆動装置２８の運転時に、駆動体３６が停止していることから、騒音や振動が軽減される。
【産業上の利用可能性】
【００２８】
以上のように、本発明にかかる空気調和機は、フィルター体に付着した塵埃を確実に塵埃保管室へと収容することができると共に、塵埃保管室に溜まった塵埃を容易に外部に排出することができるので、各種空気調和機に利用できる。
【図面の簡単な説明】
【００２９】
【図１】本発明における空気調和機の斜視図。
【図２】図１の中央の概略断面図である。
【図３】塵埃収納装置の内部構造を示す説明図。
【図４】塵埃収納装置全体を示す斜視図及び塵埃保管室の斜視図。
【図５】除塵体とフィルター体との位置関係を示す斜視図及び除塵体の構成を示す斜視図。
【図６】本発明の空気調和機における制御装置の説明図。
【図７】従来の空気調和機の室内機本体の断面図。
【符号の説明】
【００３０】
１  室内機本体
２、２５  熱交換器
３  吸込口
４、２４  フィルター体
５  サーボモーター
６  駆動軸
７  従動軸
８  空気調和機用清掃装置
９  吹き出し口
１０  ファン
１１  回転清掃体
１１ａ  ロータ
１１ｂ  清掃体
１２  排出口
１３  排気管
１４  排出用ファン
２０  空気調和機（室内機）
２１  吸込み口
２２  排気口
２３  通過風路
２６  送風機
２７ａ  上部回転軸
２７ｂ  下部回転軸
２８  駆動装置
２９  除塵体
３０  塵埃収納装置
３１  塵埃保管室
３２  塵埃取入れ口
３３  塵埃収納ケース
３４  軸心
３５  螺旋フィン
３６  駆動体
３７  塵埃入り口
３８  取っ手
３８ａ  塵埃取り出し箱
３９  バネ
４０  可動板
４１  センサー
４２  プッシャー挿入口
４３ａ  プッシャー駆動装置
４３ｂ  プッシャー
４４  軸体
４５  起毛布
４５ａ  ブラシ毛
４５ｂ  基布
４６ａ、４６ｂ  軸受
４７  制御体
４８  リモートコントロール体
４９  本体ケース
５０  第２の除塵体
【図１】
2009228932.tif 000003
【図２】
2009228932.tif 000004
【図３】
2009228932.tif 000005
【図４】
2009228932.tif 000006
【図５】
2009228932.tif 000007
【図６】
2009228932.tif 000008
【図７】
2009228932.tif 000009